(57)【要約】【課題】底面に設けられた三脚座の固定強度を向上した撮像装置を提供する。【解決手段】撮像装置は三脚座１０８を有し、三脚座は互いに直交する二つの方向から撮像装置に固定される。また、撮像装置は、正面側の側面に回りこむ側面部を有する正面ケース１０９と、背面側の側面に回りこむ側面部を有する背面ケース１１０とを備えてもよく、三脚座１０８は、少なくとも、正面ケース１０９の側面部と背面ケース１１０の側面部とに固定されてもよい。また、撮像装置は、正面側の底面に回りこむ底面部を有する正面ケース１０９と、背面側の底面に回りこむ底面部を有する背面ケース１１０とをさらに備えてもよく、三脚座１０８は、少なくとも、正面ケース１０９の底面部と背面ケース１１０の底面部とに固定されてもよい。【選択図】図４
2011048352.tif 000002
【特許請求の範囲】
【請求項１】
三脚を取り付けるための三脚座を有する撮像装置であって、
前記三脚座は、互いに直交する二つの方向から前記撮像装置に固定されている、
ことを特徴とする撮像装置。
【請求項２】
撮像装置の正面側の側面に回りこむ側面部を含む正面ケースと、
撮像装置の背面側の側面に回りこむ側面部を含む背面ケースと、をさらに備え、
前記三脚座は、少なくとも、前記正面ケースの側面部と前記背面ケースの側面部とに固定されている、
ことを特徴とする請求項１に記載の撮像装置。
【請求項３】
前記正面ケースはさらに撮像装置の正面側の底面に回りこむ底面部を含み、前記背面ケースはさらに撮像装置の背面側の底面に回りこむ底面部を含み、
前記三脚座はさらに、前記正面ケースの底面部と前記背面ケースの底面部とに固定されている、
ことを特徴とする請求項２に記載の撮像装置。
【請求項４】
撮像装置の正面側の底面に回りこむ底面部を含む正面ケースと、
撮像装置の背面側の底面に回りこむ底面部を含む背面ケースと、をさらに備え、
前記三脚座は、少なくとも、前記正面ケースの底面部と前記背面ケースの底面部とに固定されている、
ことを特徴とする請求項１に記載の撮像装置。
【請求項５】
前記三脚座は撮像装置の底面の端部に配置された、ことを特徴とする請求項１に記載の撮像装置。
【請求項６】
前記三脚座は蓄電コンデンサの下部のスペースに配置された、ことを特徴とする請求項１に記載の撮像装置。
【請求項７】
前記直交する二つの方向は撮像装置の長さ方向及び高さ方向である、ことを特徴とする請求項１に記載の撮像装置。
【発明の詳細な説明】
【技術分野】
【０００１】
本発明は、静止画や動画の撮影が可能な撮像装置に関し、特に、三脚に固定可能な撮像装置に関する。
【背景技術】
【０００２】
三脚座を備えた撮像装置に関する先行技術文献として、特許文献１がある。特許文献１に開示されたカメラは、各種撮影機構を組み込んだボディフレームと、三脚固定用のねじ穴を有した三脚取付部材と、ボディフレームを前後から覆う一対の前後カバーとを備える。カメラはさらに、三脚取付部材に形成された係止穴と、ボディフレームに形成された係止爪と、前後カバーの内側の各々に形成された位置規制部材とを備える。また、三脚取付部材はボディフレーム底面に配置される。係止穴を係止爪に係止させて三脚取付部材が固定位置付近に仮止めされ、前後カバーがボディフレームに取付けられる。これにより、位置規制部材が、三脚取付部材を狭持して固定位置に位置規制する。
【０００３】
特許文献１に開示のカメラは、三脚取付部材をボディフレームに固定する際に十分な強度を確保しながら、工数と部品点数の削減を行うことによりコストの削減を実現する。また、特許文献１に開示のカメラによれば、三脚取付部材を固定する際にねじ穴の確実な位置出しが簡便に行えることで、効率の良い組み立て作業を実現している。
【先行技術文献】
【特許文献】
【０００４】
【特許文献１】特開２００４−７７８８０号公報
【発明の概要】
【発明が解決しようとする課題】
【０００５】
近時、撮像装置の小型化に伴い、三脚座の配置位置が制約され、三脚座を撮像装置の底面の端部に設けざるをえない場合がある。これは、撮像装置の正面の中央部にはレンズ鏡筒が配されるため、撮像装置の底面の中央部に三脚座を設けると、撮像装置の内部でレンズ鏡筒の基台と三脚座のネジ穴部が干渉するからである。
【０００６】
しかし、三脚座を撮像装置の底面の端部に設けると、三脚が撮像装置の底面の端部で撮像装置を支持するので、撮像装置には、重力によって、三脚座を支点とする回転モーメントが作用する。このため、三脚座の固定強度を向上させる必要がある。
【０００７】
本発明は、前記課題を解決するためになされたものであり、撮像装置の底面に設けられた三脚座の固定強度を向上した撮像装置を提供することを目的とする。
【課題を解決するための手段】
【０００８】
本発明の撮像装置は、三脚を取り付けるための部材である三脚座を有する撮像装置である。三脚座は互いに直交する二つの方向から前記撮像装置に固定される。
【０００９】
撮像装置は、正面側の側面に回りこむ側面部を含む正面ケースと、背面側の側面に回りこむ側面部を含む背面ケースとをさらに備えてもよい。その場合、三脚座は、少なくとも、正面ケースの側面部と背面ケースの側面部とに固定できる。
【００１０】
また、撮像装置は、正面側の底面に回りこむ底面部を含む正面ケースと、背面側の底面に回りこむ底面部を含む背面ケースとをさらに備えてもよい。その場合、三脚座は、少なくとも、正面ケースの底面部と背面ケースの底面部とに固定できる。
【発明の効果】
【００１１】
本発明によれば、三脚座が互いに直交する二つの方向から撮像装置に固定されているので、底面の端部に設けられた三脚座の固定強度をさらに向上した撮像装置を提供することができる。
【００１２】
また、三脚座が正面ケースの側面部と背面ケースの側面部とに固定されてもよく、この場合、三脚座の固定強度をさらに向上しつつ、正面ケースと背面ケースの結合を可能にする。同様に、三脚座が正面ケースの底面部と背面ケースの底面部とに固定されてもよく、この場合も、三脚座の固定強度をさらに向上しつつ、正面ケースと背面ケースの結合を可能にする。
【図面の簡単な説明】
【００１３】
【図１】本発明の実施の形態に係るデジタルカメラの外観図
【図２】本発明の実施の形態に係るデジタルカメラが三脚に固定された状態を示す図
【図３】本発明の実施の形態に係るデジタルカメラを底面側から見た斜視図
【図４】三脚座の取り付け状態を説明した部分断面図
【図５】本発明の実施の形態に係るデジタルカメラを底面側から見た分解斜視図
【図６】三脚座の斜視図
【図７】本発明の実施の形態に係るデジタルカメラの分解斜視図
【発明を実施するための形態】
【００１４】
本発明の実施の形態に係るデジタルカメラについて、図面を参照しながら説明する。
【００１５】
図１は、本発明の実施の形態に係るデジタルカメラの外観図である。図１（ａ）は、正面図であり、図１（ｂ）は、背面図であり、図１（ｃ）は、底面図である。
【００１６】
デジタルカメラ１００の正面（図１（ａ）参照）には、撮像光学系１０１とフラッシュ１０２が配されている。撮像光学系１０１は、被写体像をデジタルカメラ１００内の撮像素子（図示せず）に結像させる。フラッシュ１０２は、暗所での撮影において、閃光を発して撮影光量の不足を補う。デジタルカメラ１００の上面には、シャッターボタン１０３が配されている。シャッターボタン１０３を押下すると、撮像素子に結像した被写体像に基づく画像データがメモリーカード等の記録媒体（図示せず）に記録される。
【００１７】
デジタルカメラ１００の背面（図１（ｂ）参照）には、液晶モニター１０４、モードダイヤル１０５、各種操作ボタン１０６が配されている。液晶モニター１０４には、撮像素子に結像した被写体像に基づく画像が表示される。従って、ユーザは液晶モニター１０４に表示された画像を観察しながら撮影のための構図を決定することができる。また、液晶モニター１０４は、記録媒体に記録された画像データに基づく画像を表示することができる。
【００１８】
モードダイヤル１０５を操作することで、デジタルカメラ１００の動作モードを決定することができる。デジタルカメラ１００の動作モードには、撮影モードと再生モードがある。撮影モードは、シャッターボタン１０３を押下することにより、撮像素子に結像した被写体像に基づく画像データをメモリーカード等の記録媒体に記録することができる動作モードである。撮影モードは、さらに全自動撮影モード、プログラム撮影モード、シャッター速度優先撮影モード、絞り優先撮影モード、シーン別撮影モードに細分される。再生モードは、記録媒体に記録された画像データに基づく画像を液晶モニター１０４に表示することができる動作モードである。各種操作ボタン１０６を操作することで、撮影モードと再生モードにおける、さらに詳細な設定をすることができる。すなわち、撮影モードにおいては、露出補正、ホワイトバランス調整、フラッシュ１０２の発光に関する設定等を行うことができる。また、再生モードにおいては、液晶モニター１０４に表示された画像の拡大や縮小、液晶モニター１０４に同時に表示する画像の数の設定、メモリーカード等の記録媒体に記録された画像データの検索等を行うことができる。
【００１９】
デジタルカメラ１００の底面（図１（ｃ）参照）には、収納部１０７と三脚座１０８が配される。収納部１０７は、開閉が可能であり、収納部１０７の内部には、バッテリー（図示せず）とメモリーカード等の記録媒体が収納される。三脚座１０８は、三脚をデジタルカメラ１００に取り付けるための部材であって、内側面にネジが切られており、デジタルカメラ１００を三脚に固定することができる。
【００２０】
図２は、本発明の実施の形態に係るデジタルカメラが三脚に固定された状態を示す図である。
【００２１】
デジタルカメラ１００を三脚２００に固定して撮影を行うことで、手持ち撮影では不可避な手ぶれの影響による画像データの品質の劣化を回避することができる。三脚２００を使用した撮影は、必然的に長秒露光となり、手ぶれの影響が避けられない夜景撮影や手ぶれの影響が顕著に現れる超望遠撮影等において、その効果を発揮する。
【００２２】
デジタルカメラ１００は、底面の端部で三脚２００に固定されているので、重力によって、三脚座を支点とする回転モーメント（矢印Ａ）が作用する。
【００２３】
図３は、本発明の実施の形態に係るデジタルカメラを底面側から見た斜視図である。また、図４は、三脚座１０８の取り付けの様子を説明した図（一部断面図）である。
【００２４】
図３に示すように、デジタルカメラ１００は正面ケース１０９と背面ケース１１０で内部の部材を包み込むように構成されている。図３、図４に示すように、三脚座１０８は、ネジ１１１によって、正面ケース１０９の正面側の側面に固定され、さらに、ネジ１１２によって、正面ケース１０９の正面側の底面に固定されている。また、三脚座１０８は、ネジ１１３によって、背面ケース１１０の背面側の側面に固定され、さらに、ネジ１１４によって、背面ケース１１０の背面側の底面に固定されている。
【００２５】
図５は、本発明の実施の形態に係るデジタルカメラを底面側から見た分解斜視図である。デジタルカメラ１００から背面ケース１１０と底面カバー１１５が取り外された状態を示している。正面ケース１０９には、三脚座１０８に設けられたボス１１７ｃを挿通する孔１１７ｂが開けられている。
【００２６】
図３、図４に示したとおり、三脚座１０８は、４本のネジ１１１、１１２、１１３、１１４によって、デジタルカメラ１００に固定される。ネジ１１１は、正面ケース１０９の正面側の側面に設けられたネジ孔１１１ｂと、三脚座１０８に設けられたネジ孔１１１ｃ（図５では視認でできない）とによって、正面ケース１０９と三脚座１０８を固定する。ネジ１１２は、底面カバー１１５に設けられたネジ孔１１２ａと、正面ケース１０９の正面側の底面に設けられたネジ孔１１２ｂと、三脚座１０８に設けられたネジ孔１１２ｃ（図５では視認でできない）とによって、底面カバー１１５と正面ケース１０９と三脚座１０８とを固定する。ネジ１１３は、背面ケース１１０の背面側の側面に設けられたネジ孔１１３ｂと、三脚座１０８に設けられたネジ孔１１３ｃとによって、背面ケース１１０と三脚座１０８を固定する。ネジ１１４は、底面カバー１１５に設けられたネジ孔１１４ａと、背面ケース１１０の背面側の底面に設けられたネジ孔１１４ｂと、三脚座１０８に設けられたネジ孔１１４ｃとによって、底面カバー１１５と正面ケース１０９と三脚座１０８とを固定する。
【００２７】
すなわち、４本のネジ１１１、１１２、１１３、１１４は以下のように使用される。ネジ１１１は、正面ケース１０９のネジ孔１１１ｂと、三脚座１０８のネジ孔１１１ｃとを挿通して、正面ケース１０９と三脚座１０８を固定する。ネジ１１２は、底面カバー１１５のネジ孔１１２ａと、正面ケース１０９のネジ孔１１２ｂと、三脚座１０８のネジ孔１１２ｃとを挿通して、底面カバー１１５と正面ケース１０９と三脚座１０８を固定する。ネジ１１３は、背面ケース１１０のネジ孔１１３ｂと、三脚座１０８のネジ孔１１３ｃとを挿通して、背面ケース１１０と三脚座１０８を固定する。ネジ１１４は、底面カバー１１５のネジ孔１１４ａと、背面ケース１１０のネジ孔１１４ｂと、三脚座１０８のネジ孔１１４ｃとを挿通して、底面カバー１１５と背面ケース１１０と三脚座１０８を固定する。
【００２８】
このように、本実施形態では、三脚座１０８は互いに直交する二つの方向（撮像装置の長さ方向及び高さ方向）からデジタルカメラ１００に固定されているので、三脚座１０８の固定強度を向上することができる。また、三脚座１０８が正面ケース１０９の正面側の側面と背面ケース１１０の背面側の側面とに固定されているので、三脚座１０８の固定強度を向上するとともに、正面ケース１０９と背面ケース１１０の結合を可能にする。同様に、三脚座１０８が正面ケース１０９の正面側の底面と背面ケース１１０の背面側の底面とに固定されているので、三脚座１０８の固定強度を向上するとともに、正面ケース１０９と背面ケース１１０の結合を可能にする。
【００２９】
なお、底面カバー１１５は必ずしも必要ではない。デジタルカメラ１００の側面と同様に、正面ケース１０９と背面ケース１１０とでデジタルカメラ１００の外郭を構成しても構わない。
【００３０】
図６は、三脚座１０８の斜視図である。三脚座１０８は、金属で形成することが望ましいが、樹脂で形成しても構わない。三脚座１０８の中央部には、三脚を固定するためのネジ穴１１６が設けられている。ネジ穴１１６と平行な面内には、三脚座１０８を正面ケース１０９の正面側の側面に固定するためのビス孔１１１ｃと、三脚座１０８を背面ケース１１０の背面側の側面に固定するためのビス孔１１３ｃとが設けられている。ネジ穴１１６と垂直な面内には、三脚座１０８を正面ケース１０９の正面側の底面に固定するためのビス孔１１２ｃと、三脚座１０８を背面ケース１１０の背面側の底面に固定するためのビス孔１１４ｃとが設けられている。三脚座１０８を正面ケース１０９に取り付ける際に、ボス１１７ｃが正面ケース１０９に開けられた孔１１７ｂに入り込むことで三脚座１０８の位置決めができる。
【００３１】
図７は、本発明の実施の形態に係るデジタルカメラの分解斜視図である。デジタルカメラ１００は正面ケース１０９と背面ケース１１０で内部の部材１１８を包み込むように構成されている。内部の部材１１８は、撮像光学系、フラッシュ、電源回路、信号処理回路等を含む。背面ケース１１０には、液晶モニター１０４が載置されるので、これを保護するため、液晶モニター１０４の背面には保護板１１９が配されている。
【００３２】
なお、本実施の形態に係るデジタルカメラでは、三脚座１０８が正面ケース１０９の正面側の側面と背面ケース１１０の背面側の側面とに固定され、同様に、三脚座１０８が正面ケース１０９の正面側の底面と背面ケース１１０の背面側の底面とに固定されるとしたが、固定方法はこれに限るものではない。例えば、以下のような変形例が考えられる。
【００３３】
第１に、正面ケースがデジタルカメラの側面に完全に回りこみ、正面ケースのみでデジタルカメラの側面を形成する場合が考えられる。同様に、背面ケースがデジタルカメラの側面に完全に回りこみ、背面ケースのみでデジタルカメラの側面を形成する場合が考えられる。このような場合、デジタルカメラの側面から三脚座を正面ケースまたは背面ケースのいずれかに対して一本のネジで固定してもよい。三脚座を正面ケースまたは背面ケースのいずれか一方に対してネジで固定する場合は、正面ケースと背面ケースは、かしめにより固定することができる。
【００３４】
別の例として、正面ケースと背面ケースと側面ケースによって、デジタルカメラの外郭を構成する場合が考えられる。この場合も、デジタルカメラの側面から三脚座を側面ケースに対して一本のネジで固定してもよい。
【００３５】
さらに別の例として、正面ケースも背面ケースもデジタルカメラの側面に回りこみ、互いに重なってデジタルカメラの側面を形成する場合が考えられる。この場合、デジタルカメラの側面から三脚座を正面ケース及び背面ケースに対して一本のネジで固定してもよい。以上、デジタルカメラの側面の形成について三つの例を挙げたが、デジタルカメラの底面についても同様の場合が考えられる。
【００３６】
また、一般にデジタルカメラは、フラッシュを発光させるための電力を供給するための部品である蓄電コンデンサを備える。その蓄電コンデンサは通常カメラ本体の端部に配置される。そのような場合に、三脚座を、カメラ本体底面の端部であり、かつ、蓄電コンデンサ下部のスペースに配置することはより有効である。
【００３７】
図５において、三脚座１０８と同軸上に存在する円筒形状の部品１２１が蓄電コンデンサである。蓄電コンデンサは、略円筒形状である場合が多く、その径は三脚座の径と同程度である。蓄電コンデンサの長さがカメラ本体の高さよりも短い場合は、蓄電コンデンサの下部にデッドスペースが生じる。よって、このデッドスペースに三脚座１０８を配置することによって、三脚座１０８の強固な固定を実現しつつ、カメラ本体内部のスペースを有効に活用することができる。
【００３８】
また、上記の例では、三脚座１０８をカメラ本体底面の端部に配置したが、配置位置はこれに限定されない。例えば、三脚座１０８をカメラ本体底面の端部に配置する代わりに、カメラ本体底面の中央部に配置してもよい。この場合、三脚座１０８は、底面と前面の二方向、又は底面と背面の二方向から固定される。または、三脚座１０８を、底面と前面と背面の三方向から固定してもよい。これにより、三脚座１０８をさらに強固に固定することが可能となる。
【００３９】
以上のように本実施形態によれば、三脚座１０８が互いに直交する少なくとも二つの方向から（側面側及び底面側から）カメラ本体に固定されているので、底面の端部に設けられた三脚座の固定強度をさらに向上したデジタルカメラ１００を提供することができる。
【００４０】
また、三脚座１０８を正面ケース１０９の側面部と背面ケース１１０の側面部とに固定することにより、三脚座１０８の固定強度をさらに向上しつつ、正面ケース１０９と背面ケース１１０の結合を可能にする。同様に、三脚座１０８を正面ケース１０９の底面部と背面ケース１１０の底面部とに固定することにより、三脚座１０８の固定強度を向上しつつ、正面ケース１０９と背面ケース１１０の結合を可能にする。
【産業上の利用可能性】
【００４１】
本発明は、三脚座の固定強度をさらに向上した撮像装置を提供することができるので、三脚座を備えたデジタルカメラやビデオカメラ等の撮像装置に有用である。
【符号の説明】
【００４２】
１００  デジタルカメラ
１０１  撮像光学系
１０２  フラッシュ
１０３  シャッターボタン
１０４  液晶モニター
１０５  モードダイヤル
１０６  各種操作ボタン
１０７  収納部
１０８  三脚座
１０９  正面ケース
１１０  背面ケース
１１５  底面ケース
【図１】
2011048352.tif 000003
【図２】
2011048352.tif 000004
【図３】
2011048352.tif 000005
【図４】
2011048352.tif 000006
【図５】
2011048352.tif 000007
【図６】
2011048352.tif 000008
【図７】
2011048352.tif 000009